(57)【特許請求の範囲】
【請求項１】
通信方法であって、前記方法は、
ネットワークデバイスから第1のダウンリンクキャリアでダウンリンク制御情報（DCI）を受信するステップであって、前記DCIは、前記ネットワークデバイスへアップリンク伝送を送信するために用いられるべきアップリンクキャリアが第1のアップリンクキャリアであるか第2のアップリンクキャリアであるかを示し、前記第1のアップリンクキャリアを示す前記DCIと前記第2のアップリンクキャリアを示す前記DCIとは、等しいビット数を有し、前記第1のダウンリンクキャリアと前記第1のアップリンクキャリアと前記第2のアップリンクキャリアとは、同じセルに属する、ステップと、
前記DCIによって示されるキャリアに基づいて前記第1のアップリンクキャリアまたは前記第2のアップリンクキャリアで前記ネットワークデバイスへ前記アップリンク伝送を送信するステップとを、含み、
前記DCIは、前記アップリンク伝送を送信するために用いられるべき前記キャリアを示す指示フィールドを含み、前記指示フィールドは1ビットを有し、
前記指示フィールドの値が0であるとき、前記第1のアップリンクキャリアは新無線時分割二重アップリンクキャリアであり、前記指示フィールドの値が1であるとき、前記第2のアップリンクキャリアは補足アップリンクキャリアである、
方法。
【請求項２】
前記指示フィールドはセル共通フィールドである、請求項1に記載の方法。
【請求項３】
前記第1のアップリンクキャリアは少なくとも1つのアップリンク帯域幅部分BWPを含み、前記第2のアップリンクキャリアは少なくとも1つのアップリンクBWPを含み、
前記指示フィールドは、前記第1のアップリンクキャリアのアップリンクBWPまたは前記第2のアップリンクキャリアのアップリンクBWPを示す、請求項1または2に記載の方法。
【請求項４】
前記ネットワークデバイスから第1のメッセージを受信するステップであって、前記第1のメッセージは前記DCIが前記指示フィールドを含むことを示し、前記第1のメッセージはブロードキャストメッセージまたはシステムメッセージである、ステップ、
をさらに含む、請求項1から3のいずれか一項に記載の方法。
【請求項５】
通信方法であって、前記方法は、
ダウンリンク制御情報（DCI）を第1のダウンリンクキャリアで端末デバイスへ送信するステップであって、前記DCIは、ネットワークデバイスへアップリンク伝送を送信するために前記端末デバイスによって用いられるべきアップリンクキャリアが第1のアップリンクキャリアであるか第2のアップリンクキャリアであるかを示し、前記第1のアップリンクキャリアを示す前記DCIと前記第2のアップリンクキャリアを示す前記DCIとは、等しいビット数を有し、前記第1のダウンリンクキャリアと前記第1のアップリンクキャリアと前記第2のアップリンクキャリアとは、同じセルに属する、ステップと、
前記DCIによって示されるキャリアで前記アップリンク伝送を受信するステップとを、含み、
前記DCIは、前記アップリンク伝送を送信するために用いられるべき前記キャリアを示す指示フィールドを含み、前記指示フィールドは1ビットを有し、
前記指示フィールドの値が0であるとき、前記第1のアップリンクキャリアは新無線時分割二重アップリンクキャリアであり、前記指示フィールドの値が1であるとき、前記第2のアップリンクキャリアは補足アップリンクキャリアである、
方法。
【請求項６】
前記指示フィールドはセル共通フィールドである、請求項5に記載の方法。
【請求項７】
前記第1のアップリンクキャリアは少なくとも1つのアップリンク帯域幅部分BWPを含み、前記第2のアップリンクキャリアは少なくとも1つのアップリンクBWPを含み、
前記指示フィールドは、前記第1のアップリンクキャリアのアップリンクBWPまたは前記第2のアップリンクキャリアのアップリンクBWPを示す、請求項5または6に記載の方法。
【請求項８】
前記端末デバイスへ第1のメッセージを送信するステップであって、前記第1のメッセージは前記DCIが前記指示フィールドを含むことを示し、前記第1のメッセージはブロードキャストメッセージまたはシステムメッセージである、ステップをさらに含む、請求項5から7のいずれか一項に記載の方法。
【請求項９】
端末デバイスであって、前記端末デバイスは、
ネットワークデバイスから第1のダウンリンクキャリアでダウンリンク制御情報（DCI）を受信するように構成されたトランシーバであって、前記DCIは、前記ネットワークデバイスへアップリンク伝送を送信するために用いられるべきアップリンクキャリアが第1のアップリンクキャリアであるか第2のアップリンクキャリアであるかを示し、前記第1のアップリンクキャリアを示す前記DCIと前記第2のアップリンクキャリアを示す前記DCIとは、等しいビット数を有し、前記第1のダウンリンクキャリアと前記第1のアップリンクキャリアと前記第2のアップリンクキャリアとは、同じセルに属する、トランシーバと、
前記DCIによって示されるキャリアに基づいて前記第1のアップリンクキャリアか前記第2のアップリンクキャリアかを決定するように構成されたプロセッサとを、含み、
前記DCIは、前記アップリンク伝送を送信するために用いられるべき前記キャリアを示す指示フィールドを含み、前記指示フィールドは1ビットを有し、
前記指示フィールドの値が0であるとき、前記第1のアップリンクキャリアは新無線時分割二重アップリンクキャリアであり、前記指示フィールドの値が1であるとき、前記第2のアップリンクキャリアは補足アップリンクキャリアである、
端末デバイス。
【請求項１０】
前記指示フィールドはセル共通フィールドである、請求項9に記載の端末デバイス。
【請求項１１】
前記第1のアップリンクキャリアは少なくとも1つのアップリンク帯域幅部分BWPを含み、前記第2のアップリンクキャリアは少なくとも1つのアップリンクBWPを含み、
前記指示フィールドは、前記第1のアップリンクキャリアのアップリンクBWPまたは前記第2のアップリンクキャリアのアップリンクBWPを示す、請求項9または10に記載の端末デバイス。
【請求項１２】
前記トランシーバは、前記ネットワークデバイスから第1のメッセージを受信し、前記第1のメッセージは前記DCIが前記指示フィールドを含むことを示し、前記第1のメッセージはブロードキャストメッセージまたはシステムメッセージである、ようにさらに構成される、請求項9から11のいずれか一項に記載の端末デバイス。
【請求項１３】
ネットワークデバイスであって、前記ネットワークデバイスは、
ダウンリンク制御情報（DCI）を決定するように構成されたプロセッサと、
前記DCIを第1のダウンリンクキャリアで端末デバイスへ送信するように構成されたトランシーバであって、前記DCIは、前記ネットワークデバイスへアップリンク伝送を送信するために前記端末デバイスによって用いられるべきアップリンクキャリアが第1のアップリンクキャリアであるか第2のアップリンクキャリアであるかを示し、前記第1のアップリンクキャリアを示す前記DCIと前記第2のアップリンクキャリアを示す前記DCIは、等しいビット数を有し、前記第1のダウンリンクキャリアと前記第1のアップリンクキャリアと前記第2のアップリンクキャリアは、同じセルに属し、前記DCIによって示されるキャリアに基づいて前記アップリンク伝送を受信するように構成された、トランシーバとを、含み、
前記DCIは、前記アップリンク伝送を送信するために用いられるべき前記キャリアを示す指示フィールドを含み、前記指示フィールドは1ビットを有し、
前記指示フィールドの値が0であるとき、前記第1のアップリンクキャリアは新無線時分割二重アップリンクキャリアであり、前記指示フィールドの値が1であるとき、前記第2のアップリンクキャリアは補足アップリンクキャリアである、
ネットワークデバイス。
【請求項１４】
前記指示フィールドはセル共通フィールドである、請求項13に記載のネットワークデバイス。
【請求項１５】
前記第1のアップリンクキャリアは少なくとも1つのアップリンク帯域幅部分BWPを含み、前記第2のアップリンクキャリアは少なくとも1つのアップリンクBWPを含み、
前記指示フィールドは、前記第1のアップリンクキャリアのアップリンクBWPまたは前記第2のアップリンクキャリアのアップリンクBWPを示す、請求項13または14に記載のネットワークデバイス。
【請求項１６】
前記トランシーバは前記端末デバイスへ第1のメッセージを送信し、前記第1のメッセージは前記DCIが前記指示フィールドを含むことを示し、前記第1のメッセージはブロードキャストメッセージまたはシステムメッセージである、ようにさらに構成される、請求項13から15のいずれか一項に記載のネットワークデバイス。
【請求項１７】
コンピュータ可読記憶媒体であって、前記記憶媒体は命令を記憶し、前記命令がコンピュータで実行されると、前記コンピュータは請求項1から4のいずれか一項に記載の通信方法を行うことが可能となる、コンピュータ可読記憶媒体。
【請求項１８】
コンピュータ可読記憶媒体であって、前記記憶媒体は命令を記憶し、前記命令がコンピュータで実行されると、前記コンピュータは請求項5から8のいずれか一項に記載の通信方法を行うことが可能となる、コンピュータ可読記憶媒体。
【請求項１９】
コンピュータプログラムであって、前記コンピュータプログラムは命令を含み、前記命令がコンピュータで実行されると、前記コンピュータは請求項1から4のいずれか一項に記載の通信方法を行うことが可能となる、コンピュータプログラム。
【請求項２０】
コンピュータプログラムであって、前記コンピュータプログラムは命令を含み、前記命令がコンピュータで実行されると、前記コンピュータは請求項5から8のいずれか一項に記載の通信方法を行うことが可能となる、コンピュータプログラム。
【発明の詳細な説明】
【技術分野】
【０００１】
本願は、参照により全文が本願に援用される、2017年11月2日に中国国家知識産権局に提出された「通信方法および装置」と題する中国特許出願第201711066692．X号に基づく優先権を主張する。
【０００２】
本発明は通信技術分野に関連し、特に通信方法および装置に関する。
【背景技術】
【０００３】
無線通信システムでは、通信の種類は、送信ノードと受信ノードの種類によって異なりうる。通常、ダウンリンク通信は、ネットワークデバイスが端末デバイスへ情報を送信することを意味し、アップリンク通信は、端末デバイスがネットワークデバイスへ情報を送信することを意味する。ロングタームエボリューション（long term evolution、LTE）／ロングタームエボリューションアドバンスト（long term evolution advanced、LTE−A）通信システムにおいて、二重モードは主に、周波数分割二重（frequency division duplex、FDD）モードと時分割二重（time division duplex、TDD）モードに分類され得る。
【０００４】
TDDモードで動作する無線通信システムの場合、ダウンリンクキャリアとアップリンクキャリアはキャリア周波数が同じキャリアである。第5世代（5th generation、5G）移動通信システムの新無線（new radio、NR）技術に、アップリンク・ダウンリンク・デカップリング技術が適用されうる。具体的に述べると、TDDキャリアを用いてアップリンク通信とダウンリンク通信を行うことに加え、追加のアップリンクキャリアが用いられてアップリンク通信を行うこともでき、この追加のアップリンクキャリアは補足アップリンク（supplementary uplink、SUL）キャリアと通常呼ばれ、換言すると、NRの端末デバイスはアップリンク通信のために2つのアップリンクキャリアを同時に有することができる。
【０００５】
先行技術では、ネットワークデバイスがいくつかの所定のダウンリンクリソースでダウンリンク制御情報（downlink control information、DCI）を端末デバイスへ送信する。相応に、端末デバイスはブラインド検出によってこれらのダウンリンクリソースでDCIを検出して取得し、換言すると、端末デバイスは、DCIを携えている複数の可能なコントロールリソースでDCIの検出を試みる。ただし、2つ以上のアップリンクキャリアでPUSCHを送信するように端末デバイスがスケジュールされることができる状況のために、具体的な技術的ソリューションがさらに調査され、研究される必要がある。
【発明の概要】
【０００６】
本願は、2つ以上のアップリンクキャリアでスケジュールされることができる端末デバイスによるDCIのブラインド検出の効率を上げるため、通信方法および装置を提供する。
【課題を解決するための手段】
【０００７】
第1の態様によると、本願は、
端末デバイスにより、ネットワークデバイスから第1のダウンリンクキャリアでダウンリンク制御情報DCIを受信するステップであって、DCIは、ネットワークデバイスへアップリンク信号を送信するために端末デバイスによって用いられるべきアップリンクキャリアが第1のアップリンクキャリアであるか第2のアップリンクキャリアであるかを示し、第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である、ステップと、
端末デバイスにより、DCIに基づいて第1のアップリンクキャリアか第2のアップリンクキャリアかを決定するステップとを、含む、通信方法を提供する。
【０００８】
したがって、第1のビット数が第2のビット数に等しいため、端末デバイスは、第1のビット数（または第2のビット数）に基づいて探索空間でDCIのブラインド検出を行うことができ、換言すると、DCIの1つのビット数に基づいて探索空間でブラインド検出を行うだけでよいため、端末デバイスによるDCIのブラインド検出の効率が上がり、先行技術における端末デバイスがDCIの複数の異なるビット数に基づいてDCIのブラインド検出を行う必要があるであろうという問題を効果的に回避することができる。
【０００９】
可能な一設計において、DCIは第1の指示フィールドを含み、第1の指示フィールドは第1のアップリンクキャリアまたは第2のアップリンクキャリアを示す。
【００１０】
可能な一設計において、端末デバイスにより、DCIに基づいて第1のアップリンクキャリアか第2のアップリンクキャリアかを決定するステップは、
端末デバイスにより、ネットワークデバイスから第1のメッセージを受信するステップであって、第1のメッセージはDCIが第1の指示フィールドを含むことを示し、第1の指示フィールドは第1のアップリンクキャリアまたは第2のアップリンクキャリアを示す、ステップと、
端末デバイスにより、第1の指示フィールドに基づいて第1のアップリンクキャリアか第2のアップリンクキャリアかを決定するステップとを、含む。
【００１１】
可能な一設計において、第1のアップリンクキャリアは少なくとも1つのアップリンク帯域幅部分BWPを含み、第2のアップリンクキャリアは少なくとも1つのアップリンクBWPを含み、
第1の指示フィールドは、第1のアップリンクキャリアのアップリンクBWPまたは第2のアップリンクキャリアのアップリンクBWPを示す。
【００１２】
可能な一設計において、端末デバイスのための少なくとも2つのサービングセルがあり、第1のアップリンクキャリアと第2のアップリンクキャリアとは少なくとも2つのサービングセルのうちいずれか1つに属し、
第1の指示フィールドによって示されるアップリンクキャリアは、第1のサービングセルの中にある。
【００１３】
可能な一設計において、端末デバイスのための少なくとも2つのサービングセルがあり、第1のアップリンクキャリアと第2のアップリンクキャリアとは少なくとも2つのサービングセルのうちいずれか1つに属し、DCIは第3の指示フィールドをさらに含み、
第3の指示フィールドは、少なくとも2つのサービングセルのうちの第1のサービングセルを示し、
第1の指示フィールドによって示されるアップリンクキャリアは、第1のサービングセルの中にある。
【００１４】
可能な一設計において、DCIは第2の指示フィールドを含み、第2の指示フィールドは、第1のアップリンクキャリアまたは第2のアップリンクキャリアでネットワークデバイスへアップリンク信号を送信するために端末デバイスによって用いられるべき周波数リソースを示し、第3のビット数は第4のビット数に等しく、第3のビット数は、ネットワークデバイスへアップリンク信号を送信するために端末デバイスによって用いられるべき第1のアップリンクキャリアをDCIが示すときの第2の指示フィールドのビット数であり、第4のビット数は、ネットワークデバイスへアップリンク信号を送信するために端末デバイスによって用いられるべき第2のアップリンクキャリアをDCIが示すときの第2の指示フィールドのビット数である。
【００１５】
可能な一設計において、第1のメッセージはブロードキャストメッセージまたはシステムメッセージであり、DCIはフォールバックDCIである。
【００１６】
可能な一設計において、第1のダウンリンクキャリアと第1のアップリンクキャリアと第2のアップリンクキャリアとは、同じセルに属する。
【００１７】
第2の態様によると、本願は通信方法を提供し、該方法は、
ネットワークデバイスにより、DCIを決定するステップと、
ネットワークデバイスにより、DCIを第1のダウンリンクキャリアで端末デバイスへ送信するステップであって、DCIは、ネットワークデバイスへアップリンク信号を送信するために端末デバイスによって用いられるべきアップリンクキャリアが第1のアップリンクキャリアであるか第2のアップリンクキャリアであるかを示し、第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である、ステップとを、含む。
【００１８】
したがって、第1のビット数が第2のビット数に等しいため、端末デバイスは、ネットワークデバイスが端末デバイスへDCIを送信した後に、第1のビット数（または第2のビット数）に基づいて探索空間でDCIのブラインド検出を行うことができ、換言すると、DCIの1つのビット数に基づいて探索空間でブラインド検出を行うだけでよいため、端末デバイスによるDCIのブラインド検出の効率が上がり、先行技術における端末デバイスがDCIの複数の異なるビット数に基づいてDCIのブラインド検出を行う必要があるであろうという問題を効果的に回避することができる。
【００１９】
可能な一設計において、DCIは第1の指示フィールドを含み、第1の指示フィールドは第1のアップリンクキャリアまたは第2のアップリンクキャリアを示す。
【００２０】
可能な一設計において、方法は、
ネットワークデバイスにより、端末デバイスへ第1のメッセージを送信するステップであって、第1のメッセージは、DCIが第1の指示フィールドを含むことを示し、第1の指示フィールドは第1のアップリンクキャリアまたは第2のアップリンクキャリアを示す、ステップをさらに含む。
【００２１】
可能な一設計において、第1のアップリンクキャリアは少なくとも1つのアップリンク帯域幅部分BWPを含み、第2のアップリンクキャリアは少なくとも1つのアップリンクBWPを含み、
第1の指示フィールドは、第1のアップリンクキャリアのアップリンクBWPまたは第2のアップリンクキャリアのアップリンクBWPを示す。
【００２２】
可能な一設計において、端末デバイスのための少なくとも2つのサービングセルがあり、第1のアップリンクキャリアと第2のアップリンクキャリアとは少なくとも2つのサービングセルのうちいずれか1つに属し、
第1の指示フィールドによって示されるアップリンクキャリアは、第1のサービングセルの中にある。
【００２３】
可能な一設計において、端末デバイスのための少なくとも2つのサービングセルがあり、第1のアップリンクキャリアと第2のアップリンクキャリアとは少なくとも2つのサービングセルのうちいずれか1つに属し、DCIは第3の指示フィールドをさらに含み、
第3の指示フィールドは、少なくとも2つのサービングセルのうちの第1のサービングセルを示し、
第1の指示フィールドによって示されるアップリンクキャリアは、第1のサービングセルの中にある。
【００２４】
可能な一設計において、DCIは第2の指示フィールドを含み、第2の指示フィールドは、第1のアップリンクキャリアまたは第2のアップリンクキャリアでネットワークデバイスへアップリンク信号を送信するために端末デバイスによって用いられるべき周波数リソースを示し、第3のビット数は第4のビット数に等しく、第3のビット数は、ネットワークデバイスへアップリンク信号を送信するために端末デバイスによって用いられるべき第1のアップリンクキャリアをDCIが示すときの第2の指示フィールドのビット数であり、第4のビット数は、ネットワークデバイスへアップリンク信号を送信するために端末デバイスによって用いられるべき第2のアップリンクキャリアをDCIが示すときの第2の指示フィールドのビット数である。
【００２５】
可能な一設計において、第1のメッセージはブロードキャストメッセージまたはシステムメッセージであり、DCIはフォールバックDCIである。
【００２６】
可能な一設計において、第1のダウンリンクキャリアと第1のアップリンクキャリアと第2のアップリンクキャリアとは、同じセルに属する。
【００２７】
第3の態様によると、本願は端末デバイスを提供し、該端末デバイスは、
ネットワークデバイスから第1のダウンリンクキャリアでDCIを受信するように構成されたトランシーバモジュールであって、DCIは、ネットワークデバイスへアップリンク信号を送信するために端末デバイスによって用いられるべきアップリンクキャリアが第1のアップリンクキャリアであるか第2のアップリンクキャリアであるかを示し、第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である、トランシーバモジュールと、
DCIに基づいて第1のアップリンクキャリアか第2のアップリンクキャリアかを決定するように構成された処理モジュールとを、含む。
【００２８】
可能な一設計において、DCIは第1の指示フィールドを含み、第1の指示フィールドは第1のアップリンクキャリアまたは第2のアップリンクキャリアを示す。
【００２９】
可能な一設計において、トランシーバモジュールは、ネットワークデバイスから第1のメッセージを受信し、第1のメッセージはDCIが第1の指示フィールドを含むことを示し、第1の指示フィールドは第1のアップリンクキャリアまたは第2のアップリンクキャリアを示す、ようにさらに構成され、
処理モジュールは、第1の指示フィールドに基づいて第1のアップリンクキャリアか第2のアップリンクキャリアかを決定するように具体的に構成される。
【００３０】
可能な一設計において、第1のアップリンクキャリアは少なくとも1つのアップリンク帯域幅部分BWPを含み、第2のアップリンクキャリアは少なくとも1つのアップリンクBWPを含み、
第1の指示フィールドは、第1のアップリンクキャリアのアップリンクBWPまたは第2のアップリンクキャリアのアップリンクBWPを示す。
【００３１】
可能な一設計において、端末デバイスのための少なくとも2つのサービングセルがあり、第1のアップリンクキャリアと第2のアップリンクキャリアとは少なくとも2つのサービングセルのうちいずれか1つに属し、
第1の指示フィールドによって示されるアップリンクキャリアは、第1のサービングセルの中にある。
【００３２】
可能な一設計において、端末デバイスのための少なくとも2つのサービングセルがあり、第1のアップリンクキャリアと第2のアップリンクキャリアとは少なくとも2つのサービングセルのうちいずれか1つに属し、DCIは第3の指示フィールドをさらに含み、
第3の指示フィールドは、少なくとも2つのサービングセルのうちの第1のサービングセルを示し、
第1の指示フィールドによって示されるアップリンクキャリアは、第1のサービングセルの中にある。
【００３３】
可能な一設計において、DCIは第2の指示フィールドを含み、第2の指示フィールドは、第1のアップリンクキャリアまたは第2のアップリンクキャリアでネットワークデバイスへアップリンク信号を送信するために端末デバイスによって用いられるべき周波数リソースを示し、第3のビット数は第4のビット数に等しく、第3のビット数は、ネットワークデバイスへアップリンク信号を送信するために端末デバイスによって用いられるべき第1のアップリンクキャリアをDCIが示すときの第2の指示フィールドのビット数であり、第4のビット数は、ネットワークデバイスへアップリンク信号を送信するために端末デバイスによって用いられるべき第2のアップリンクキャリアをDCIが示すときの第2の指示フィールドのビット数である。
【００３４】
可能な一設計において、第1のメッセージはブロードキャストメッセージまたはシステムメッセージであり、DCIはフォールバックDCIである。
【００３５】
可能な一設計において、第1のダウンリンクキャリアと第1のアップリンクキャリアと第2のアップリンクキャリアとは、同じセルに属する。
【００３６】
第4の態様によると、本願はネットワークデバイスを提供し、該ネットワークデバイスは、
DCIを決定するように構成された処理モジュールと、
DCIを第1のダウンリンクキャリアで端末デバイスへ送信するように構成されたトランシーバモジュールであって、DCIは、ネットワークデバイスへアップリンク信号を送信するために端末デバイスによって用いられるべきアップリンクキャリアが第1のアップリンクキャリアであるか第2のアップリンクキャリアであるかを示し、第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である、トランシーバモジュールとを、含む。
【００３７】
可能な一設計において、DCIは第1の指示フィールドを含み、第1の指示フィールドは第1のアップリンクキャリアまたは第2のアップリンクキャリアを示す。
【００３８】
可能な一設計において、トランシーバモジュールは、端末デバイスへ第1のメッセージを送信し、第1のメッセージは、DCIが第1の指示フィールドを含むことを示し、第1の指示フィールドは第1のアップリンクキャリアまたは第2のアップリンクキャリアを示す、ようにさらに構成される。
【００３９】
可能な一設計において、第1のアップリンクキャリアは少なくとも1つのアップリンク帯域幅部分BWPを含み、第2のアップリンクキャリアは少なくとも1つのアップリンクBWPを含み、
第1の指示フィールドは、第1のアップリンクキャリアのアップリンクBWPまたは第2のアップリンクキャリアのアップリンクBWPを示す。
【００４０】
可能な一設計において、端末デバイスのための少なくとも2つのサービングセルがあり、第1のアップリンクキャリアと第2のアップリンクキャリアとは少なくとも2つのサービングセルのうちいずれか1つに属し、
第1の指示フィールドによって示されるアップリンクキャリアは、第1のサービングセルの中にある。
【００４１】
可能な一設計において、端末デバイスのための少なくとも2つのサービングセルがあり、第1のアップリンクキャリアと第2のアップリンクキャリアとは少なくとも2つのサービングセルのうちいずれか1つに属し、DCIは第3の指示フィールドをさらに含み、
第3の指示フィールドは、少なくとも2つのサービングセルのうちの第1のサービングセルを示し、
第1の指示フィールドによって示されるアップリンクキャリアは、第1のサービングセルの中にある。
【００４２】
可能な一設計において、DCIは第2の指示フィールドを含み、第2の指示フィールドは、第1のアップリンクキャリアまたは第2のアップリンクキャリアでネットワークデバイスへアップリンク信号を送信するために端末デバイスによって用いられるべき周波数リソースを示し、第3のビット数は第4のビット数に等しく、第3のビット数は、ネットワークデバイスへアップリンク信号を送信するために端末デバイスによって用いられるべき第1のアップリンクキャリアをDCIが示すときの第2の指示フィールドのビット数であり、第4のビット数は、ネットワークデバイスへアップリンク信号を送信するために端末デバイスによって用いられるべき第2のアップリンクキャリアをDCIが示すときの第2の指示フィールドのビット数である。
【００４３】
可能な一設計において、第1のメッセージはブロードキャストメッセージまたはシステムメッセージであり、DCIはフォールバックDCIである。
【００４４】
可能な一設計において、第1のダウンリンクキャリアと第1のアップリンクキャリアと第2のアップリンクキャリアとは、同じセルに属する。
【００４５】
第5の態様によると、本願は通信装置を提供する。該通信装置は端末デバイスであってよく、該通信装置は第1の態様の方法の例を実行する機能を有する。該通信装置は、通信モジュールと、プロセッサとを、含む。
【００４６】
通信モジュールは、他のデバイスとの通信とやり取りを行うように、例えば、ネットワークデバイスから第1のダウンリンクキャリアでダウンリンク制御情報DCIを受信するように、構成される。DCIは、ネットワークデバイスへアップリンク信号を送信するために端末デバイスによって用いられるべきアップリンクキャリアが第1のアップリンクキャリアであるか第2のアップリンクキャリアであるかを示す。第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である。
【００４７】
通信モジュールは、RF回路、Wi−Fiモジュール、通信インターフェース、Bluetoothモジュールなどであってよい。
【００４８】
プロセッサは、
DCIに基づいて第1のアップリンクキャリアか第2のアップリンクキャリアかを決定することを含む、第3の態様の処理モジュールの機能を実行するように構成される。
【００４９】
任意選択で、通信装置は、プログラムなどを記憶するように構成されたメモリをさらに含んでよい。具体的に述べると、プログラムはプログラムコードを含んでよく、プログラムコードは命令を含む。メモリはランダムアクセスメモリ（random access memory、RAM）を含んでよく、あるいは不揮発性メモリ（non−volatile memory）を、例えば少なくとも1つの磁気ディスクメモリを、含んでよい。プロセッサは、前述した機能を実行するため、メモリに記憶されたプログラムを実行する。
【００５０】
可能な一様態において、通信モジュールとプロセッサとメモリは、バスを用いて相互に接続されてよい。バスは、周辺コンポーネント相互接続（peripheral component interconnect、PCI）バス、拡張産業規格アーキテクチャ（extended industry standard architecture、EISA）バスなどであってよい。バスは、アドレスバス、データバス、制御バスなどに分類できる。
【００５１】
第6の態様によると、本願は通信装置を提供する。該通信装置はネットワークデバイスであってよく、該通信装置は第2の態様の方法の例を実行する機能を有する。該通信装置は、通信モジュールと、プロセッサとを、含む。
【００５２】
プロセッサは、DCIを決定することを含む、第4の態様の処理モジュールの機能を実行するように構成される。
【００５３】
通信モジュールは、他のデバイスとの通信とやり取りを行うように、例えば、第1のダウンリンクキャリアで端末デバイスへDCIを送信するように、構成される。DCIは、ネットワークデバイスへアップリンク信号を送信するために端末デバイスによって用いられるべきアップリンクキャリアが第1のアップリンクキャリアであるか第2のアップリンクキャリアであるかを示す。第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である。
【００５４】
通信モジュールは、RF回路、Wi−Fiモジュール、通信インターフェース、Bluetoothモジュールなどであってよい。
【００５５】
任意選択で、通信装置は、プログラムなどを記憶するように構成されたメモリをさらに含んでよい。具体的に述べると、プログラムはプログラムコードを含んでよく、プログラムコードは命令を含む。メモリはRAMを含んでよく、あるいは不揮発性メモリを、例えば少なくとも1つの磁気ディスクメモリを、含んでよい。プロセッサは、前述した機能を実行するため、メモリに記憶されたプログラムを実行する。
【００５６】
可能な一様態において、通信モジュールとプロセッサとメモリは、バスを用いて相互に接続されてよい。バスは、PCIバス、EISAバスなどであってよい。バスは、アドレスバス、データバス、制御バスなどに分類できる。
【００５７】
本願は通信システムをさらに提供する。該システムは、前述した設計のいずれか1つで提供される端末デバイスを含み、本願で提供されるソリューションで端末デバイスとやり取りするネットワークデバイスをさらに含んでよい。
【００５８】
本願はコンピュータ記憶媒体をさらに提供する。該記憶媒体はソフトウェアプログラムを記憶し、ソフトウェアプログラムは、1つ以上のプロセッサによって読み取られて実行されると、前述した態様または可能な設計で提供される通信方法を実施できる。
【００５９】
本願は命令を含むコンピュータプログラム製品をさらに提供する。命令がコンピュータで実行されると、コンピュータは前述した態様または可能な設計の通信方法を行うことが可能となる。
【００６０】
本願はコンピュータプログラムをさらに提供する。コンピュータプログラムがコンピュータで実行されると、コンピュータは前述した態様または可能な設計の通信方法を行うことが可能となる。
【図面の簡単な説明】
【００６１】
【図１】本願を適用できるシステムアーキテクチャの概略図である。
【図２ａ】本願を適用できる可能な一つのシナリオの概略図である。
【図２ｂ】本願を適用できる別の可能な一つのシナリオの概略図である。
【図３】本願による通信方法の対応する概略流れ図である。
【図４】本願による通信装置の概略構造図である。
【図５】本願による別の通信装置の概略構造図である。
【図６】本願による別の通信装置の概略構造図である。
【図７】本願による別の通信装置の概略構造図である。
【発明を実施するための形態】
【００６２】
以下、本明細書の添付の図面を参照しながら本願について詳しく説明する。
【００６３】
図1は、本願を適用できるシステムアーキテクチャの概略図である。図1に示されているように、システムアーキテクチャは、ネットワークデバイス101と、図1に示された端末デバイス1021、端末デバイス1022、および端末デバイス1023など、1つ以上の端末デバイスとを、含む。ネットワークデバイス101は、ネットワークを用いて、端末デバイス1021、端末デバイス1022、および端末デバイス1023へダウンリンクデータを送信しうる。端末デバイス1021、端末デバイス1022、および端末デバイス1023は、ネットワークを用いて、ネットワークデバイス101へアップリンクデータを送信しうる。
【００６４】
本願において、ネットワークデバイスは基地局（base station、BS）デバイスでありうる。基地局デバイスは基地局と呼ばれることもあり、無線通信機能を提供するため無線アクセスネットワークに配備される装置である。例えば、2Gネットワークで基地局機能を提供するデバイスは、ベース・トランシーバ・ステーション（base transceiver station、BTS）と基地局コントローラ（base station controller、BSC）とを含む。3Gネットワークで基地局機能を提供するデバイスは、ノードB（NodeB）と無線ネットワークコントローラ（radio network controller、RNC）とを含む。4Gネットワークで基地局機能を提供するデバイスは、エボルブドノードB（evolved NodeB、eNB）を含む。5Gネットワークで基地局機能を提供するデバイスは、新無線ノードB（New Radio NodeB、gNB）と、集中ユニット（Centralized Unit、CU）と、分散ユニット（Distributed Unit）と、新無線コントローラとを、含む。
【００６５】
端末デバイスは無線送受信機能を有するデバイスである。端末デバイスは陸上に配置されてよく、例えば、屋内または屋外デバイス、手持ち型デバイス、または車載デバイスであってよく、あるいは水上に配置されてもよく（例えば、船舶）、あるいは空中に配置されてもよい（例えば、航空機、気球、衛星）。端末デバイスは、携帯電話機（mobile phone）、タブレットコンピュータ（Padなど）、無線送受信機能を有するコンピュータ、仮想現実（virtual reality、VR）端末デバイス、拡張現実（augmented reality、AR）端末デバイス、産業制御（industrial control）の無線端末デバイス、自動運転（self driving）の無線端末デバイス、遠隔医療（remote medical）の無線端末デバイス、スマートグリッド（smart grid）の無線端末デバイス、輸送安全（transportation safety）の無線端末デバイス、スマートシティ（smart city）の無線端末デバイス、スマートホーム（smart home）の無線端末デバイスなどであってよい。
【００６６】
本願では、図1に示されたシステムアーキテクチャが説明のための一例として主に用いられており、制限を構成しない。例えば、本願は、マクロ基地局とマイクロ基地局が互いに通信するシステムアーキテクチャにもさらに適用可能である。これは具体的に限定されない。
【００６７】
前述したシステムアーキテクチャが適用可能な通信システムは、時分割二重ロングタームエボリューション（time division duplex−long term evolution、TDD LTE）、周波数分割二重ロングタームエボリューション（frequency division duplex−long term evolution、FDD LTE）、ロングタームエボリューション・アドバンスト（long term evolution−advanced、LTE−A）、ならびに将来の様々な進化した無線通信システム（例えば5G NRシステム）を含み、ただしこれらに限定されない。
【００６８】
5G NRシステムの一例において、端末デバイスは補足アップリンクキャリアを用いてネットワークデバイスへアップリンク信号を送信できる。補足アップリンクキャリアは、現在のアクセス技術でアップリンクリソースがアップリンクキャリア伝送のみに用いられることを意味する。例えば、5G NRシステムにおいて、キャリアAがNRシステムでアップリンク伝送のみに用いられ、ダウンリンク伝送には用いられないならば、あるいはキャリアAがLTE通信システムでのダウンリンク伝送に用いられ、NRシステムでのダウンリンク伝送には用いられないならば、キャリアAは補足アップリンクキャリアである。
【００６９】
可能な一つのシナリオにおいて、図2aを参照し、端末デバイスa1が、周波数がそれぞれF1およびF2であるキャリアを用いて、ダウンリンク通信およびアップリンク通信（FDD）を行うと仮定される。ネットワークデバイスb1が補足アップリンクキャリア（キャリアF3）を構成し、端末デバイスa1のために、アップリンクキャリアを動的にスケジュールする機能を構成した後に、端末デバイスa1は、キャリアF1を用いてダウンリンク信号伝送を行うことができ、キャリアF2かキャリアF3を用いてアップリンク信号伝送を行うことができる。この場合、ダウンリンクキャリアF1とアップリンクキャリアF2とアップリンクキャリアF3は同じセルに属し、換言すると、ダウンリンクキャリアF1とアップリンクキャリアF2とアップリンクキャリアF3は同じ帯域幅コンビネーションに属し、あるいは、ダウンリンクキャリアF1はアップリンクキャリアF2とアップリンクキャリアF3とに対応している。
【００７０】
別の可能な一つのシナリオにおいて、図2bを参照し、端末デバイスa2が、周波数がF4であるTDDキャリアを用いてアップリンク通信とダウンリンク通信を行うと仮定される。ネットワークデバイスb2が補足アップリンクキャリア（キャリアF5）を構成し、端末デバイスa2のために、アップリンクキャリアを動的にスケジュールする機能を構成した後に、端末デバイスa2は、キャリアF4でダウンリンクスロットを用いてダウンリンク信号伝送を行うことができ、キャリアF4でアップリンクスロットを用いてアップリンク信号伝送を行うことができ、あるいはキャリアF5を用いてアップリンク信号伝送を行うことができる。この場合、キャリアF4とアップリンクキャリアF5は同じセルに属する。
【００７１】
先行技術では、2つ以上のアップリンクキャリアでアップリンク信号を送信するように端末デバイスがスケジュールされることができる場合について、2つのアップリンクキャリア（第1のアップリンクキャリアと第2のアップリンクキャリア）とが一例として用いられる。ネットワークデバイスは、第1のアップリンクキャリアでアップリンク信号を送信するように端末デバイスをスケジュールするとき、端末デバイスへDCI 1を送信する。ネットワークデバイスは、第2のアップリンクキャリアでアップリンク信号を送信するように端末デバイスをスケジュールするとき、端末デバイスへDCI 2を送信する。DCI 1のビット数とDCI 2のビット数は異なることがあり、この場合、端末デバイスはDCI 1のビット数とDCI 2のビット数に基づいてDCIのブラインド検出を別々に行う必要があり、換言すると、端末デバイスはDCIの2つの異なるビット数に基づいてブラインド検出を別々に行う必要がある。結果的に、DCIのブラインド検出には比較的長い時間がかかり、効率は比較的低い。
【００７２】
これを踏まえ、本願は、端末デバイスにより、ネットワークデバイスから第1のダウンリンクキャリアでダウンリンク制御情報DCIを受信するステップと、DCIに基づいて第1のアップリンクキャリアか第2のアップリンクキャリアかを決定するステップであって、DCIは、ネットワークデバイスへアップリンク信号を送信するために端末デバイスによって用いられるべきアップリンクキャリアが第1のアップリンクキャリアであるか第2のアップリンクキャリアであるかを示し、第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である、ステップとを、含む、通信方法を提供する。本願では、第1のビット数が第2のビット数に等しいため、端末デバイスは、第1のビット数（または第2のビット数）に基づいて探索空間でDCIのブラインド検出を行うことができ、換言すると、DCIの1つのビット数に基づいて探索空間でブラインド検出を行うだけでよいため、端末デバイスによるDCIのブラインド検出の効率が上がり、先行技術における端末デバイスがDCIの複数の異なるビット数に基づいてDCIのブラインド検出を行う必要があるであろうという問題を効果的に回避することができる。
【００７３】
以下の点が注意されるべきである。（1）本願におけるアップリンクキャリアは、アップリンクリソース、アップリンク周波数、またはアップリンクと呼ばれることがあり、同様に、本願におけるダウンリンクキャリアは、ダウンリンクリソース、ダウンリンク周波数、またはダウンリンクでありうる。キャリアは、技術的本質において周波数領域における周波数リソースの一部分であることが理解されるべきである。周波数リソースは、通信分野においてキャリアと呼ばれてもよく、勿論、別の名称を用いて説明されてもよい。これは本願では限定されない。（2）本願の通信方法は、第1のアップリンクキャリアと第2のアップリンクキャリアとで端末デバイスがスケジュールされることができる状況を一例として用いて説明されている。この方法は、複数のアップリンクキャリアで端末デバイスがスケジュールされることができる状況にも適用可能である。複数のアップリンクキャリアで端末デバイスがスケジュールされることができる場合、端末デバイスが異なるアップリンクキャリアでネットワークデバイスへアップリンク信号を送信するためのDCIのビット数は等しい。（3）DCIのビット数は、DCIのサイズまたは長さと理解されることができる。DCIのビット数は、DCIのペイロード（payload）のビット数であってよく、あるいはDCIの合計ロードのビット数であってよい。例えば、DCIの合計ロードは、パディング（padding）ビットを含む場合と含まない場合がある。
【００７４】
図3は、本願による通信方法の概略的流れ図である。図3に示されているように、方法は以下のステップを含む。
【００７５】
ステップ301：ネットワークデバイスはDCIを決定する。
【００７６】
ここで、ネットワークデバイスは、スケジュールされるべきアップリンクキャリアを第1のアップリンクキャリアまたは第2のアップリンクキャリアとして決定し、決定した第1のアップリンクキャリアまたは第2のアップリンクキャリアに基づいてDCIを生成する。具体的に述べると、ネットワークデバイスが、スケジュールされるべきアップリンクキャリアを第1のアップリンクキャリアとして決定するならば、生成されるDCIは、ネットワークデバイスへアップリンク信号を送信するために端末デバイスによって用いられるべきアップリンクキャリアが第1のアップリンクキャリアであることを示す。ネットワークデバイスが、スケジュールされるべきアップリンクキャリアを第2のアップリンクキャリアとして決定するならば、生成されるDCIは、ネットワークデバイスへアップリンク信号を送信するために端末デバイスによって用いられるべきアップリンクキャリアが第2のアップリンクキャリアであることを示す。
【００７７】
さらに、ネットワークデバイスは、複数の決定材料に基づいてスケジュールされるべきアップリンクキャリアを決定しうる。例えば、ネットワークデバイスは、第1のアップリンクキャリアの現在の利用状況と第2のアップリンクキャリアの現在の利用状況とに基づいてスケジュールされるべきアップリンクキャリアを決定しうる。これは具体的に限定されない。
【００７８】
本願において、第1のアップリンクキャリアと第2のアップリンクキャリアのうちいずれか一方は補足アップリンクキャリアであってよい。一例において、第1のアップリンクキャリアはNR TDDアップリンクキャリアであり、第2のアップリンクキャリアは補足アップリンクキャリアである。
【００７９】
ステップ302：ネットワークデバイスは第1のダウンリンクキャリアでDCIを端末デバイスへ送信する。
【００８０】
DCIは、ネットワークデバイスへアップリンク信号を送信するために端末デバイスによって用いられるべきアップリンクキャリアが第1のアップリンクキャリアであるか第2のアップリンクキャリアであるかを示す。第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である。ここで、アップリンク信号は、アップリンクデータ信号であってよく、あるいはアップリンク制御信号であってよく、あるいはアップリンク測定信号であってよい。アップリンク信号の種類はここで限定されない。アップリンクデータ信号は、物理アップリンク共用チャネル（physical uplink shared channel、PUSCH）であってよく、あるいは他の名称を有しうる。アップリンクデータ信号と実質的に同じ信号は、本願の保護範囲内に入る。アップリンク測定信号は、サウンディング参照信号（sounding reference signal、SRS）であってよく、勿論、他の名称を有しうる。
【００８１】
本願において、第1のダウンリンクキャリアと第1のアップリンクキャリアと第2のアップリンクキャリアとは同じセルに属し、あるいは、第1のダウンリンクキャリアと第1のアップリンクキャリアと第2のアップリンクキャリアとは同じ帯域幅コンビネーションに属し、換言すると、第1のダウンリンクキャリアは、第1のアップリンクキャリアと第2のアップリンクキャリアとに対応し、あるいは、第1のアップリンクキャリアと第2のアップリンクキャリアとは、第1のダウンリンクキャリアに対応する。一例において、第1のアップリンクキャリアがNR TDDアップリンクキャリアであり、第2のアップリンクキャリアが補足アップリンクキャリアであるならば、第1のダウンリンクキャリアはNR TDDダウンリンクキャリアであり、あるいは、第1のアップリンクキャリアが補足アップリンクキャリアであり、第2のアップリンクキャリアがNR TDDアップリンクキャリアであるならば、第1のダウンリンクキャリアはNR TDDダウンリンクキャリアである。
【００８２】
ステップ303：端末デバイスは第1のダウンリンクキャリアでネットワークデバイスからDCIを受信する。
【００８３】
ここで、第1のビット数は第2のビット数に等しいため、端末デバイスは、第1のビット数（または第2のビット数）に基づいて探索空間でブラインド検出を行いDCIを取得することができる。
【００８４】
ステップ304：端末デバイスはDCIに基づいて第1のアップリンクキャリアか第2のアップリンクキャリアかを決定する。
【００８５】
ここで、DCIに基づいて第1のアップリンクキャリアを決定する場合、端末デバイスは、アップリンク信号を第1のアップリンクキャリアでネットワークデバイスへ送信できる。DCIに基づいて第2のアップリンクキャリアを決定する場合、端末デバイスは、アップリンク信号を第2のアップリンクキャリアでネットワークデバイスへ送信できる。
【００８６】
以下、本願のDCIに含まれる内容について説明する。
【００８７】
DCIは第1の指示フィールドを含んでよく、第1の指示フィールドは第1のアップリンクキャリアまたは第2のアップリンクキャリアを示す。したがって、ステップ304において、端末デバイスは、第1の指示フィールドに基づいて第1のアップリンクキャリアか第2のアップリンクキャリアかを決定できる。なお、端末デバイスはDCIに基づいて数多くの方法で第1のアップリンクキャリアか第2のアップリンクキャリアかを決定でき、これは可能な一つの決定方法に過ぎない。
【００８８】
さらに、第1の指示フィールドの可能な一実装は次のとおりである。ネットワークデバイスが第1のアップリンクキャリアまたは第2のアップリンクキャリアの帯域幅範囲内で端末デバイスにリソースを割り当てることができるシナリオの場合、第1の指示フィールドは第1のアップリンクキャリアまたは第2のアップリンクキャリアを示すことができ、端末デバイスは、第1の指示フィールドによって示された第1のアップリンクキャリアまたは第2のアップリンクキャリアでネットワークデバイスへアップリンク信号を送信できる。
【００８９】
具体的に述べると、第1の指示フィールドの状態と示されるアップリンクキャリアとの対応関係は、あらかじめ設定されてよく、あるいはネットワークデバイスによってあらかじめ設定され、その後端末デバイスへ送信されてもよい。したがって、端末デバイスは、DCIを受信した後に、解析によって第1の指示フィールドの状態を得ることができ、第1の指示フィールドの状態と示されるアップリンクキャリアとの対応関係に基づいて、第1のアップリンクキャリアか第2のアップリンクキャリアかを決定する。
【００９０】
一例において、第1の指示フィールドは1ビットを含んでよく、第1の指示フィールドの状態と示されるアップリンクキャリアとの対応関係は表1aまたは表1bに示されうる。
【００９１】
【表１】
0006987990.tif 000002
【００９２】
【表２】
0006987990.tif 000003
【００９３】
表1aに示されているように、第1の指示フィールドの状態が「0」であるとき、第1のアップリンクキャリアが指示され、第1の指示フィールドの状態が「1」であるとき、第2のアップリンクキャリアが示される。表1bに示されているように、第1の指示フィールドの状態が「0」であるとき、第2のアップリンクキャリアが指示され、第1の指示フィールドの状態が「1」であるとき、第1のアップリンクキャリアが示される。
【００９４】
任意選択で、第1の指示フィールドはセル共通（cell commonまたはcell specific）フィールドであってよい。1セル内の全ての端末デバイスが第1の指示フィールドを同じように理解することが理解されるべきである。例えば、いずれかの端末デバイスにとって、第1の指示フィールドの状態が0であるとき、第1の指示フィールドによって示されるアップリンクキャリアはNR TDDアップリンクキャリアであり、第1の指示フィールドの状態が1であるとき、第1の指示フィールドによって示されるアップリンクキャリアはSULキャリアである。第1の指示フィールドは端末デバイス個別（UE specific）フィールドであってもよい。1セル内の端末デバイスが第1の指示フィールドについて異なる理解を得ることが理解されるべきである。例えば、第1の端末デバイスにとって、第1の指示フィールドの状態が0であるとき、第1の指示フィールドによって示されるアップリンクキャリアはNR TDDアップリンクキャリアであり、第1の指示フィールドの状態が1であるとき、第1の指示フィールドによって示されるアップリンクキャリアはSULキャリアである。第2の端末デバイスにとって、第1の指示フィールドの状態が0であるとき、第1の指示フィールドによって示されるアップリンクキャリアはSULキャリアであり、第1の指示フィールドの状態が1であるとき、第1の指示フィールドによって示されるアップリンクキャリアはNR TDDアップリンクキャリアである。
【００９５】
なお、ネットワークデバイスは端末デバイスへ複数タイプのDCIを送信でき、DCIは複数タイプの第1の指示フィールドを含むことができる。ある種のDCIの場合、第1の指示フィールドはセル共通フィールドであってよく、他種のDCIの場合、第1の指示フィールドは端末デバイス個別フィールドであってよい。
【００９６】
別の可能な一実装において、5G NRシステムでは、キャリアの最大帯域幅が400 MHzに達することがあるが、端末デバイスによってサポートされる最大帯域幅能力は、そのような高帯域幅に達しないことがある。したがって、端末デバイスがキャリアの帯域幅能力をサポートしない場合、ネットワークデバイスはまず、キャリアで端末デバイスのために1つ以上の帯域幅部分（bandwidth part、BWP）を構成する必要があり、その後、BWPの範囲内で端末デバイスにリソースを割り当てる。この場合、第1のアップリンクキャリアは少なくとも1つのアップリンクBWPを含んでよく、第2のアップリンクキャリアは少なくとも1つのアップリンクBWPを含んでよい。一例において、第1のアップリンクキャリアは2つのアップリンクBWPを含み、これらはそれぞれアップリンクBWP 1aとアップリンクBWP 1bであり、第2のアップリンクキャリアは2つのアップリンクBWPを含み、これらはそれぞれアップリンクBWP 2aとアップリンクBWP 2bである。なお、1a、1b、2a、および2bは、4通りのBWPを区別するために用いられているに過ぎず、BWPを付番する方法を制限するものではない。4つのBWPは、BWP 0、BWP 1、BWP 2、およびBWP 3と付番されてもよく、別のやり方で付番されてもよい。DCIは、第1のアップリンクキャリアのアップリンクBWPまたは第2のアップリンクキャリアのアップリンクBWPを示す必要があり、これにより、端末デバイスは、DCIによって示される第1のアップリンクキャリアのアップリンクBWP、または、DCIによって示される第2のアップリンクキャリアのアップリンクBWPで、アップリンク信号をネットワークデバイスへ送信できる。
【００９７】
任意選択で、DCIは第1の指示フィールドを含み、第1の指示フィールドは第1のアップリンクキャリアのアップリンクBWPまたは第2のアップリンクキャリアのアップリンクBWPを示す。
【００９８】
同様に、第1の指示フィールドの状態と示されるアップリンクキャリアとの対応関係は、あらかじめ設定されてよく、あるいはネットワークデバイスによってあらかじめ設定され、その後端末デバイスへ送信されてもよい。
【００９９】
一例において、第1の指示フィールドは2つの部分を含んでよい。第1の部分は対象アップリンクキャリアを示し、第2の部分は対象アップリンクキャリアのBWPを示す。前述した例に基づき、第1の指示フィールドの第1の部分が1ビットを含み、第1の指示フィールドの第2の部分が1ビットを含み、第1の部分が高ビットであり、第2の部分が低ビットであると設定されることができる。したがって、第1の指示フィールドの状態と示される内容との対応関係は表2aに示されうる。
【０１００】
【表３】
0006987990.tif 000004
【０１０１】
なお、表2aは可能な表現の一例に過ぎない。別の一例では、第1の指示フィールドの低ビットが対象アップリンクキャリアを示してよく、高ビットが対象アップリンクキャリアのBWPを示してよい。
【０１０２】
別の一例において、対象アップリンクキャリアを示すために用いられる部分と対象アップリンクキャリアのBWPを示すために用いられる部分は、第1の指示フィールドにおいて互いに区別されない。前述した例に基づき、第1の指示フィールドが2ビットを含むと設定されることができる。第1の指示フィールドの状態と示される内容との対応関係は表2bに示されうる。
【０１０３】
【表４】
0006987990.tif 000005
【０１０４】
なお、表2bは可能な表現の一例に過ぎない。別の一例では、前述した対応関係が柔軟に設定されてよい。
【０１０５】
第1のアップリンクキャリアまたは第2のアップリンクキャリアに含まれるBWPの数が本実施形態で2つに限定されず、3つ、または4つ以上であってもよいことがさらに注意されるべきである。加えて、第1のアップリンクキャリアに含まれるBWPの数は、第2のアップリンクキャリアに含まれるBWPの数と違ってもよい。例えば、第1のアップリンクキャリアのBWP数は4つであり、第2のアップリンクキャリアのBWP数は1つである。
【０１０６】
第1の指示フィールドのビット数は2に限定されず、3以上であってもよい。
【０１０７】
任意選択で、DCIは第1の指示フィールドと第4の指示フィールドとを含み、第1の指示フィールドは対象アップリンクキャリアを示し、第4の指示フィールドは対象アップリンクキャリアの対象BWPを示す。第1の指示フィールドと第4の指示フィールドは2つの別々の指示フィールドであってよい。前述した例に基づき、第1の指示フィールドは1ビットを含み、第4の指示フィールドは1ビットを含むと設定されることができる。第1の指示フィールドの状態と示される内容との対応関係は表2cに示されることができ、第4の指示フィールドの状態と示される内容との対応関係は表2dに示されうる。
【０１０８】
【表５】
0006987990.tif 000006
【０１０９】
【表６】
0006987990.tif 000007
【０１１０】
さらに別の可能な一実装において、端末デバイスはキャリアアグリゲーションをサポートし、換言すると、端末デバイスのための少なくとも2つのサービングセルがあり、第1のアップリンクキャリアと第2のアップリンクキャリアとは少なくとも2つのサービングセルのうちいずれか1つに属する。一例において、端末デバイスは2つのサービングセルを有し、2つのサービングセルはそれぞれサービングセルaとサービングセルbである。サービングセルaはアップリンクキャリアa1とアップリンクキャリアa2とを含み、サービングセルbはアップリンクキャリアb1とアップリンクキャリアb2とを含む。サービングセルaの場合、アップリンクキャリアa1が第1のアップリンクキャリアであるとき、アップリンクキャリアa2は第2のアップリンクキャリアであり、アップリンクキャリアa1が第2のアップリンクキャリアであるとき、アップリンクキャリアa2は第1のアップリンクキャリアである。サービングセルbの場合、アップリンクキャリアb1が第1のアップリンクキャリアであるとき、アップリンクキャリアb2は第2のアップリンクキャリアであり、アップリンクキャリアb1が第2のアップリンクキャリアであるとき、アップリンクキャリアb2は第1のアップリンクキャリアである。なお、a1、a2、b1、およびb2は、4通りのアップリンクキャリアを区別するために用いられているに過ぎず、アップリンクキャリアを付番する方法を制限するものではない。4つのアップリンクキャリアは、アップリンクキャリア0、アップリンクキャリア1、アップリンクキャリア2、およびアップリンクキャリア3と付番されてもよく、勿論、別のやり方で付番されてもよい。同様に、aおよびbは2通りのサービングセルを区別するために用いられているに過ぎず、サービングセルを付番する方法を制限するものではない。2つのサービングセルは、サービングセル0およびサービングセル1と付番されてもよく、別のやり方で付番されてもよい。この場合、DCIは少なくとも2つのサービングセルうちののいずれか1つでアップリンクキャリアを示す必要があり、これにより、端末デバイスは、DCIによって示されるサービングセルのいずれか1つのアップリンクキャリアに基づいて、ネットワークデバイスへアップリンク信号を送信できる。
【０１１１】
任意選択で、DCIは第1の指示フィールドを含み、第1の指示フィールドによって示されるアップリンクキャリアは第1のサービングセルの中にある。
【０１１２】
同様に、第1の指示フィールドの状態と示されるアップリンクキャリアとの対応関係は、あらかじめ設定されてよく、あるいはネットワークデバイスによってあらかじめ設定され、その後端末デバイスへ送信されてもよい。
【０１１３】
一例において、第1の指示フィールドは2つの部分を含んでよい。第1の部分は2つのサービングセルのうちの対象サービングセルを示し、第2の部分は対象サービングセルの対象アップリンクキャリアを示す。前述した例に基づき、第1の指示フィールドの第1の部分が1ビットを含み、第1の指示フィールドの第2の部分が1ビットを含み、第1の部分が高ビットであり、第2の部分が低ビットであると設定されることができる。したがって、第1の指示フィールドの状態と示される内容との対応関係は表3aに示されうる。
【０１１４】
【表７】
0006987990.tif 000008
【０１１５】
なお、表3aは可能な表現の一例に過ぎない。別の一例では、第1の指示フィールドの低ビットが対象サービングセルを示してよく、高ビットが対象サービングセルの対象アップリンクキャリアを示してよい。
【０１１６】
別の一例において、対象サービングセルを示すために用いられる部分と対象サービングセルの対象アップリンクキャリアを示すために用いられる部分は、第1の指示フィールドにおいて互いに区別されない。前述した例に基づき、第1の指示フィールドが2ビットを含むと設定されることができる。第1の指示フィールドの状態と示される内容との対応関係は表3bに示されうる。
【０１１７】
【表８】
0006987990.tif 000009
【０１１８】
なお、表3bは可能な表現の一例に過ぎない。別の一例では、前述した対応関係が柔軟に設定されてよい。
【０１１９】
サービングセルaまたはサービングセルbに含まれるアップリンクキャリアの数は、本実施形態では2つに限定されず、3つ、または4つ以上であってもよいことにさらに注意するべきである。加えて、サービングセルaに含まれるアップリンクキャリアの数は、サービングセルbに含まれるアップリンクキャリアの数と違ってもよい。例えば、サービングセルaのアップリンクキャリア数は4つであり、サービングセルbのアップリンクキャリア数は2つである。
【０１２０】
第1の指示フィールドのビット数は2に限定されず、3以上であってもよい。
【０１２１】
任意選択で、DCIは第1の指示フィールドと第3の指示フィールドとを含み、第1の指示フィールドは対象サービングセルを示し、第3の指示フィールドは対象サービングセルの対象アップリンクキャリアを示す。第1の指示フィールドと第3の指示フィールドは2つの別々の指示フィールドであってよい。前述した例に基づき、第1の指示フィールドは1ビットを含み、第3の指示フィールドは1ビットを含むと設定されることができる。第1の指示フィールドの状態と示される内容との対応関係は表3cに示されることができ、第3の指示フィールドの状態と示される内容との対応関係は表3dに示されうる。
【０１２２】
【表９】
0006987990.tif 000010
【０１２３】
【表１０】
0006987990.tif 000011
【０１２４】
DCIは第2の指示フィールドをさらに含んでよく、第2の指示フィールドは、第1のアップリンクキャリアまたは第2のアップリンクキャリアでネットワークデバイスへアップリンク信号を送信するために端末デバイスによって用いられるべき周波数リソースを示す。第3のビット数は第4のビット数に等しく、第3のビット数は、ネットワークデバイスへアップリンク信号を送信するために端末デバイスによって用いられるべき第1のアップリンクキャリアをDCIが示すときの第2の指示フィールドのビット数であり、第4のビット数は、ネットワークデバイスへアップリンク信号を送信するために端末デバイスによって用いられるべき第2のアップリンクキャリアをDCIが示すときの第2の指示フィールドのビット数である。
【０１２５】
第2の指示フィールドのビット数（すなわち、第3のビット数または第4のビット数）は、ネットワークデバイスによって複数のやり方であらかじめ具体的に決定されてよい。例えば、第2の指示フィールドのビット数は、第1のアップリンクキャリアの構成情報と第2のアップリンクキャリアの構成情報とに基づいて決定されてよい。第1のアップリンクキャリアの構成情報は、第1のアップリンクキャリアの帯域幅に含まれるリソースブロックの数を含む。第2のアップリンクキャリアの構成情報は、第2のアップリンクリソースの帯域幅に含まれるリソースブロックの数を含む。
【０１２６】
第1の可能な一実装において、第2の指示フィールドのビット数は、第1のアップリンクキャリアの帯域幅に含まれるリソースブロックの数と、第2のアップリンクキャリアの帯域幅に含まれるリソースブロックの数とのうち、大きい方の値に基づいて決定される。例えば、第2の指示フィールドが第1のアップリンクキャリアの帯域幅のリソースブロックを示すときにX1ビットが必要とされ、第2の指示フィールドが第2のアップリンクキャリアの帯域幅のリソースブロックを示すときにX2ビットが必要とされ、X1がX2より大きいならば、第2の指示フィールドのビット数はX1であると決定されうる。この場合、DCIが、ネットワークデバイスへアップリンク信号を送信するために端末デバイスによって用いられるべきアップリンクキャリアが第2のアップリンクキャリアであると示すとき、第2の指示フィールドの最初のX2ビットは周波数領域リソース位置を示し、最後のX1−X2ビットはパディングビットである。
【０１２７】
第2の可能な一実装において、第2の指示フィールドのビット数は、第1のアップリンクキャリアの帯域幅に含まれるリソースブロックの数と、第2のアップリンクキャリアの帯域幅に含まれるリソースブロックの数とのうち、小さい方の値に基づいて決定される。例えば、第2の指示フィールドが第1のアップリンクキャリアの帯域幅のリソースブロックを示すときにX1ビットが必要とされ、第2の指示フィールドが第2のアップリンクキャリアの帯域幅のリソースブロックを示すときにX2ビットが必要とされ、X1がX2より大きいならば、第2の指示フィールドのビット数はX2であると決定されうる。したがって、ネットワークデバイスは、第1のアップリンクキャリアの帯域幅でX2ビットに対応するリソースブロックの数をスケジュールできるだけであり、あるいは、第1のアップリンクキャリアの帯域幅でネットワークデバイスによってスケジュールされる周波数領域リソースのグラニュラリティは増大される。
【０１２８】
なお、前述した内容におけるアップリンクキャリアの帯域幅は、具体的には、ネットワークデバイスによって構成される初期アップリンク帯域幅部分（initial UL BWP）であってよく、あるいは、デフォルトアップリンク帯域幅部分（default UL BWP）であってよい。
【０１２９】
本願の本実施形態で、第1の指示フィールド、第2の指示フィールド、および第3の指示フィールドの全ての可能な実装が、第1のビット数が第2のビット数に等しい場合に適用されることに限定されず、第1のビット数が第2のビット数に等しくない場合にもさらに適用できることが、さらに注意されるべきである。
【０１３０】
前述した方法の手順について、本願は以下のステップをさらに含みうる。
【０１３１】
ステップ300a：ネットワークデバイスは端末デバイスへ第1のメッセージを送信し、第1のメッセージは、DCIが第1の指示フィールドを含むことを示す。
【０１３２】
ステップ300b：端末デバイスはネットワークデバイスから第1のメッセージを受信する。
【０１３３】
ここで、第1のメッセージはシステムメッセージまたはブロードキャストメッセージでありうる。補足アップリンクキャリアが第1のメッセージの中で構成されるとき、第1のメッセージは、DCIが第1の指示フィールドを含むことを示す。別の一実装において、補足アップリンクキャリアが第1のメッセージの中で構成されないとき、第1のメッセージは、DCIが第1の指示フィールドを含むか、含んでいないかを示しうる。
【０１３４】
あるいは、第1のメッセージはネットワークデバイスによって特定の端末デバイスへ送信される上位層シグナリングであってよい。端末デバイスによりアップリンクキャリアを動的にスケジュールする機能が第1のメッセージの中で構成されるとき、第1のメッセージは、DCIが第1の指示フィールドを含むことを示す。別の一実装において、端末デバイスによりアップリンクキャリアを動的にスケジュールする機能が第1のメッセージの中で構成されないとき、第1のメッセージは、DCIが第1の指示フィールドを含むか、含んでいないかを示しうる。この場合は、第1のメッセージが、固定のアップリンクキャリアを示してもよく、あるいは、ネットワークデバイスによって端末デバイスへ送信される別のメッセージが、固定のアップリンクキャリアを示してもよい。固定のアップリンクキャリアは、第1のアップリンクキャリアまたは第2のアップリンクキャリアでありうる。例えば、固定のアップリンクキャリアが第1のアップリンクキャリアであるとき、ネットワークデバイスによって端末デバイスへ送信され、アップリンクデータ伝送をスケジュールするために用いられるDCIは、第1のアップリンクキャリアでアップリンクデータを送信するように端末デバイスをスケジュールするためにのみ用いられうる。この場合、DCIは第1の指示フィールドを含む場合と含まない場合がある。DCIが第1の指示フィールドを含むとき、第1の指示フィールドの状態は、固定の状態であってよく、例えば常に0または1であり、あるいはランダムな状態であってもよく、例えばランダムに0または1である。この場合、端末デバイスはDCI内の第1の指示フィールドに基づいてアップリンクキャリアを決定しない場合があり、アップリンクデータを送信するため、第1のアップリンクキャリアを直接的に決定する。前述した機能はフォールバックDCIにも適用可能である。
【０１３５】
本願のDCIについては、以下の点が注意されるべきである。
【０１３６】
（1）DCIのビット数（すなわち、第1のビット数または第2のビット数）は、ネットワークデバイスによってあらかじめ決定されてよい。具体的に述べると、ネットワークデバイスは、第1のアップリンクキャリアと第2のアップリンクキャリアとを構成した後に、第1のアップリンクキャリアおよび第2のアップリンクキャリアの帯域幅、サブキャリア間隔、またはその他の構成パラメータに基づいて、DCIのビット数を決定しうる。その後、ネットワークデバイスは、決定されたDCIのビット数に基づいて、端末デバイスへDCIを送信しうる。
【０１３７】
（2）本願のDCIはフォールバックDCIであってよく、フォールバックDCIは、デフォルトDCIかデフォルト状態のDCIであると理解されることができ、あるいは、セル共通探索空間において端末デバイスによって検出されるDCIであると理解されることができる。DCIの名称は限定されない。ネットワークデバイスにアクセスする端末デバイスは、特定の条件が満たされる（例えば、端末デバイスが、RRCシグナリングを用いてネットワークデバイスによって送信される構成情報を受信しない）場合に限り、フォールバックDCIを検出でき、検出されたフォールバックDCIに基づいて、ネットワークデバイスへアップリンク信号を送信する。本願において、フォールバックDCIについて、第1のビット数は第2のビット数に等しいため、ネットワークデバイスがRRC再構成を行う過程でDCIのビット数が変わらないことが効果的に保証されることができ、ネットワークデバイスと端末デバイスとでDCIのビット数に対する理解が食い違う状況を回避する。フォールバックDCIは、アップリンクスケジューリングに専用のフォールバックDCIであってよく、あるいはダウンリンクスケジューリングとアップリンクスケジューリングの両方のためのフォールバックDCIであってよい。
【０１３８】
本願において、ネットワークデバイスが補足アップリンクキャリアを構成するとき、ネットワークデバイスによって送信されるフォールバックDCIは、第1の指示フィールド（ならびに、第3の指示フィールドまたは第4の指示フィールド）を含む。ネットワークデバイスが補足アップリンクキャリアを構成しないとき、ネットワークデバイスによって送信されるフォールバックDCIは、第1の指示フィールド（ならびに、第3の指示フィールドまたは第4の指示フィールド）を含む場合と含まない場合がある。
【０１３９】
本願において、ネットワークデバイスが端末デバイスのためにRRC構成またはRRC再構成を行う過程では、ネットワークデバイスによって端末デバイスへ送信されるフォールバックDCIのビット数は変わらないため、端末デバイスはRRC構成プロセスまたはRRC再構成プロセスでネットワークデバイスからフォールバックDCIを受信でき、DCIの1つのビット数に基づいて、DCIのブラインド検出を行うことができる。このように、端末デバイスは、フォールバックDCIのブラインド検出を行うために、RRC構成プロセスまたはRRC再構成プロセスにおいてフォールバックDCIのビット数を決定できる。
【０１４０】
本願のDCIは非フォールバックDCIであってもよく、すなわち、特定の端末デバイスのためのDCIであってもよい。ネットワークデバイスが、端末デバイスのために、アップリンクキャリアを動的にスケジュールする機能を構成するとき、ネットワークデバイスによって端末デバイスへ送信されるDCIは、第1の指示フィールド（ならびに、第3の指示フィールドまたは第4の指示フィールド）を含む。ネットワークデバイスが、端末デバイスのために、アップリンクキャリアを動的にスケジュールする機能を構成しないとき、ネットワークデバイスによって端末デバイスへ送信されるDCIは、第1の指示フィールド（ならびに、第3の指示フィールドまたは第4の指示フィールド）を含む場合と含まない場合がある。
【０１４１】
ネットワークデバイスが、端末デバイスのために、アップリンクキャリアを動的にスケジュールする機能を構成しないとき、第1のビット数は第2のビット数に等しい場合と等しくない場合があり、第2の指示フィールドのビット数は等しい場合と等しくない場合がある。一例において、ネットワークデバイスが第1のアップリンクキャリアをPUSCHキャリアとして構成するとき、DCI内の第2の指示フィールドのビット数は、第1のアップリンクキャリアの構成情報に基づいて決定される。ネットワークデバイスが第2のアップリンクキャリアをPUSCHキャリアとして構成するとき、DCI内の第2の指示フィールドのビット数は、第2のアップリンクキャリアの構成情報に基づいて決定される。
【０１４２】
本願において、第1のDCIの探索空間は、第2のDCIの探索空間と同じであってもよく、あるいは違ってもよい。第1のDCIは、ネットワークデバイスへアップリンク信号を送信するために端末デバイスによって用いられるべきアップリンクキャリアが第1のアップリンクキャリアであることを示し、第2のDCIは、ネットワークデバイスへアップリンク信号を送信するために端末デバイスによって用いられるべきアップリンクキャリアが第2のアップリンクキャリアであることを示す。
【０１４３】
第1のDCIの探索空間と、第1のDCIを用いてスケジュールされるアップリンクキャリアとの間に、関連付け関係はない。具体的に述べると、ネットワークデバイスは、第1の探索空間で第1のDCIまたは第2のDCIを端末デバイスへ送信でき、あるいはネットワークデバイスは、第1の探索空間で第1のDCIを端末デバイスへ送信でき、第2の探索空間で第2のDCIを端末デバイスへ送信でき、あるいはネットワークデバイスは、第2の探索空間で第1のDCIを端末デバイスへ送信でき、第1の探索空間で第2のDCIを端末デバイスへ送信できる。
【０１４４】
具体的に述べると、フォールバックDCIの場合、第1のDCIの探索空間は第2のDCIの探索空間と同じである。非フォールバックDCIの場合、第1のDCIの探索空間は第2のDCIの探索空間と同じである場合と異なる場合がある。
【０１４５】
前述した方法の手順のために、本願は、端末デバイスとネットワークデバイスをさらに提供する。端末デバイスとネットワークデバイスの具体的な実装については、前述した方法の手順を参照されたい。
【０１４６】
前述した実施形態に基づき、本願は通信装置を提供する。この通信装置は端末デバイスであってよく、図3に示された方法の実施形態で端末デバイスによって行われる対応する手順またはステップを実行するように構成される。図4を参照し、通信装置400は、トランシーバモジュール401と、処理モジュール402とを、含んでよい。
【０１４７】
トランシーバモジュール401は、ネットワークデバイスから第1のダウンリンクキャリアでDCIを受信するように構成される。DCIは、ネットワークデバイスへアップリンク信号を送信するために端末デバイスによって用いられるべきアップリンクキャリアが第1のアップリンクキャリアであるか第2のアップリンクキャリアであるかを示す。第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である。
【０１４８】
処理モジュール402は、DCIに基づいて第1のアップリンクキャリアか第2のアップリンクキャリアかを決定するように構成される。
【０１４９】
可能な一設計において、DCIは第1の指示フィールドを含み、第1の指示フィールドは第1のアップリンクキャリアまたは第2のアップリンクキャリアを示す。
【０１５０】
可能な一設計において、トランシーバモジュール401は、ネットワークデバイスから第1のメッセージを受信するようにさらに構成される。第1のメッセージはDCIが第1の指示フィールドを含むことを示し、第1の指示フィールドは第1のアップリンクキャリアまたは第2のアップリンクキャリアを示す。
【０１５１】
処理モジュール402は、第1の指示フィールドに基づいて第1のアップリンクキャリアか第2のアップリンクキャリアかを決定するように具体的に構成される。
【０１５２】
可能な一設計において、第1のアップリンクキャリアは少なくとも1つのアップリンク帯域幅部分BWPを含み、第2のアップリンクキャリアは少なくとも1つのアップリンクBWPを含む。
【０１５３】
第1の指示フィールドは、第1のアップリンクキャリアのアップリンクBWPまたは第2のアップリンクキャリアのアップリンクBWPを示す。
【０１５４】
可能な一設計において、端末デバイスのための少なくとも2つのサービングセルがあり、第1のアップリンクキャリアと第2のアップリンクキャリアとは少なくとも2つのサービングセルのうちいずれか1つに属する。
【０１５５】
第1の指示フィールドによって示されるアップリンクキャリアは第1のサービングセルの中にある。
【０１５６】
可能な一設計において、端末デバイスのための少なくとも2つのサービングセルがあり、第1のアップリンクキャリアと第2のアップリンクキャリアとは少なくとも2つのサービングセルのうちいずれか1つに属し、DCIは第3の指示フィールドをさらに含む。
【０１５７】
第3の指示フィールドは少なくとも2つのサービングセルのうちの第1のサービングセルを示す。
【０１５８】
第1の指示フィールドによって示されるアップリンクキャリアは第1のサービングセルの中にある。
【０１５９】
可能な一設計において、DCIは第2の指示フィールドを含む。第2の指示フィールドは、第1のアップリンクキャリアまたは第2のアップリンクキャリアでネットワークデバイスへアップリンク信号を送信するために端末デバイスによって用いられるべき周波数リソースを示す。第3のビット数は第4のビット数に等しく、第3のビット数は、ネットワークデバイスへアップリンク信号を送信するために端末デバイスによって用いられるべき第1のアップリンクキャリアをDCIが示すときの第2の指示フィールドのビット数であり、第4のビット数は、ネットワークデバイスへアップリンク信号を送信するために端末デバイスによって用いられるべき第2のアップリンクキャリアをDCIが示すときの第2の指示フィールドのビット数である。
【０１６０】
可能な一設計において、第1のメッセージはブロードキャストメッセージまたはシステムメッセージであり、DCIはフォールバックDCIである。
【０１６１】
可能な一設計において、第1のダウンリンクキャリアと第1のアップリンクキャリアと第2のアップリンクキャリアとは、同じセルに属する。
【０１６２】
前述した実施形態に基づき、本願は通信装置をさらに提供する。この通信装置はネットワークデバイスであってよく、図3に示された方法の実施形態でネットワークデバイスによって行われる対応する手順またはステップを実行するように構成される。図5を参照し、通信装置500は、トランシーバモジュール501と、処理モジュール502とを、含んでよい。
【０１６３】
処理モジュール502は、DCIを決定するように構成される。
【０１６４】
トランシーバモジュール501は、DCIを第1のダウンリンクキャリアで端末デバイスへ送信するように構成される。DCIは、ネットワークデバイスへアップリンク信号を送信するために端末デバイスによって用いられるべきアップリンクキャリアが第1のアップリンクキャリアであるか第2のアップリンクキャリアであるかを示す。第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である。
【０１６５】
可能な一設計において、DCIは第1の指示フィールドを含み、第1の指示フィールドは第1のアップリンクキャリアまたは第2のアップリンクキャリアを示す。
【０１６６】
可能な一設計において、トランシーバモジュール501は、端末デバイスへ第1のメッセージを送信するようにさらに構成される。第1のメッセージはDCIが第1の指示フィールドを含むことを示し、第1の指示フィールドは第1のアップリンクキャリアまたは第2のアップリンクキャリアを示す。
【０１６７】
可能な一設計において、第1のアップリンクキャリアは少なくとも1つのアップリンク帯域幅部分BWPを含み、第2のアップリンクキャリアは少なくとも1つのアップリンクBWPを含む。
【０１６８】
第1の指示フィールドは、第1のアップリンクキャリアのアップリンクBWPまたは第2のアップリンクキャリアのアップリンクBWPを示す。
【０１６９】
可能な一設計において、端末デバイスのための少なくとも2つのサービングセルがあり、第1のアップリンクキャリアと第2のアップリンクキャリアとは少なくとも2つのサービングセルのうちいずれか1つに属する。
【０１７０】
第1の指示フィールドによって示されるアップリンクキャリアは第1のサービングセルの中にある。
【０１７１】
可能な一設計において、端末デバイスのための少なくとも2つのサービングセルがあり、第1のアップリンクキャリアと第2のアップリンクキャリアとは少なくとも2つのサービングセルのうちいずれか1つに属し、DCIは第3の指示フィールドをさらに含む。
【０１７２】
第3の指示フィールドは少なくとも2つのサービングセルのうちの第1のサービングセルを示す。
【０１７３】
第1の指示フィールドによって示されるアップリンクキャリアは第1のサービングセルの中にある。
【０１７４】
可能な一設計において、DCIは第2の指示フィールドを含む。第2の指示フィールドは、第1のアップリンクキャリアまたは第2のアップリンクキャリアでネットワークデバイスへアップリンク信号を送信するために端末デバイスによって用いられるべき周波数リソースを示す。第3のビット数は第4のビット数に等しく、第3のビット数は、ネットワークデバイスへアップリンク信号を送信するために端末デバイスによって用いられるべき第1のアップリンクキャリアをDCIが示すときの第2の指示フィールドのビット数であり、第4のビット数は、ネットワークデバイスへアップリンク信号を送信するために端末デバイスによって用いられるべき第2のアップリンクキャリアをDCIが示すときの第2の指示フィールドのビット数である。
【０１７５】
可能な一設計において、第1のメッセージはブロードキャストメッセージまたはシステムメッセージであり、DCIはフォールバックDCIである。
【０１７６】
可能な一設計において、第1のダウンリンクキャリアと第1のアップリンクキャリアと第2のアップリンクキャリアとは、同じセルに属する。
【０１７７】
なお、本願の本実施形態で、モジュール分割は一例であり、論理的な機能分割に過ぎない。実際の実装では別の分割方式が用いられることもできる。本願の実施形態における機能モジュールは1つの処理モジュールに統合されてよく、あるいは各モジュールが物理的に単独で存在してもよく、あるいは2つ以上のモジュールが1つのモジュールに統合されてもよい。統合されたモジュールはハードウェアの形で実装されてよく、あるいはソフトウェア機能モジュールの形で実装されてもよい。
【０１７８】
統合されたモジュールがソフトウェア機能モジュールの形で実装され、独立した製品として販売もしくは使用される場合、統合されたモジュールはコンピュータ可読記憶媒体に記憶されてよい。このような理解に基づき、本願の技術的なソリューションは本質的に、あるいは先行技術に寄与する部分は、あるいは技術的なソリューションの全部または一部は、ソフトウェア製品の形で実装されてよい。コンピュータソフトウェア製品は記憶媒体に記憶され、本願の実施形態で説明されている方法のステップの全部または一部を行うことをコンピュータデバイス（パーソナルコンピュータ、サーバー、またはネットワークデバイスなどであってよい）かプロセッサ（processor）に命じる命令を含む。前述した記憶媒体は、USBフラッシュドライブ、リムーバブルハードディスク、読み取り専用メモリ（Read−Only Memory、ROM）、ランダムアクセスメモリ（Random Access Memory、RAM）、磁気ディスク、光ディスクなど、プログラムコードを記憶できる何らかの媒体を含む。
【０１７９】
前述した実施形態に基づき、本願は通信装置をさらに提供する。この通信装置は端末デバイスであってよく、図3に示された方法の実施形態で端末デバイスによって行われる対応する手順またはステップを実行するように構成される。この通信装置は図4に示された通信装置400の機能を有する。図6を参照し、通信装置600は、通信モジュール601と、プロセッサ602とを、含む。
【０１８０】
通信モジュール601は、他のデバイスとの通信とやり取りを行うように、例えば、ネットワークデバイスから第1のダウンリンクキャリアでダウンリンク制御情報DCIを受信するように、構成される。DCIは、ネットワークデバイスへアップリンク信号を送信するために端末デバイスによって用いられるべきアップリンクキャリアが第1のアップリンクキャリアであるか第2のアップリンクキャリアであるかを示す。第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である。
【０１８１】
通信モジュール601は、RF回路、Wi−Fiモジュール、通信インターフェース、Bluetoothモジュールなどであってよい。
【０１８２】
プロセッサ602は、
DCIに基づいて第1のアップリンクキャリアか第2のアップリンクキャリアかを決定することを含む、第3の態様の処理モジュールの機能を実行するように構成される。
【０１８３】
任意選択で、通信装置600は、プログラムなどを記憶するように構成されたメモリ604をさらに含んでよい。具体的に述べると、プログラムはプログラムコードを含んでよく、プログラムコードは命令を含む。メモリ604はRAMを含んでよく、あるいは不揮発性メモリを、例えば少なくとも1つの磁気ディスクメモリを、含んでよい。プロセッサ602は、前述した機能を実行するため、メモリ604に記憶されたプログラムを実行する。
【０１８４】
可能な一様態において、通信モジュール601とプロセッサ602とメモリ604は、通信可能に接続される。例えば、通信モジュール601とプロセッサ602とメモリ604は、バス603を用いて相互に接続されてよい。バス603は、PCIバス、EISAバスなどであってよい。バスは、アドレスバス、データバス、制御バスなどに分類できる。表現を簡単にするため、図6ではバスを表すためにただ1つの太線が用いられているが、これはバスが1つしかないことを、あるいはバスが1種類しかないことを、意味しない。
【０１８５】
前述した実施形態に基づき、本願は通信装置をさらに提供する。この通信装置はネットワークデバイスであってよく、図3に示された方法の実施形態でネットワークデバイスによって行われる対応する手順またはステップを実行するように構成される。この通信装置は図5に示された通信装置500の機能を有する。図7を参照し、通信装置700は、通信モジュール701と、プロセッサ702とを、含む。
【０１８６】
プロセッサ702は、DCIを決定することを含む、第4の態様の処理モジュールの機能を実行するように構成される。
【０１８７】
通信モジュール701は、他のデバイスとの通信とやり取りを行うように、例えば、第1のダウンリンクキャリアで端末デバイスへDCIを送信するように、構成される。DCIは、ネットワークデバイスへアップリンク信号を送信するために端末デバイスによって用いられるべきアップリンクキャリアが第1のアップリンクキャリアであるか第2のアップリンクキャリアであるかを示す。第1のビット数は第2のビット数に等しく、第1のビット数は、ネットワークデバイスへアップリンク信号を送信するために端末デバイスによって用いられるべき第1のアップリンクキャリアを示すDCIのビット数であり、第2のビット数は、ネットワークデバイスへアップリンク信号を送信するために端末デバイスによって用いられるべき第2のアップリンクキャリアを示すDCIのビット数である。
【０１８８】
通信モジュール701は、RF回路、Wi−Fiモジュール、通信インターフェース、Bluetoothモジュールなどであってよい。
【０１８９】
任意選択で、通信装置700は、プログラムなどを記憶するように構成されたメモリ704をさらに含んでよい。具体的に述べると、プログラムはプログラムコードを含んでよく、プログラムコードは命令を含む。メモリ704はRAMを含んでよく、あるいは不揮発性メモリを、例えば少なくとも1つの磁気ディスクメモリを、含んでよい。プロセッサ702は、前述した機能を実行するため、メモリ704に記憶されたプログラムを実行する。
【０１９０】
可能な一様態において、通信モジュール701とプロセッサ702とメモリ704は、通信可能なように接続される。例えば、通信モジュール701とプロセッサ702とメモリ704は、バス703を用いて相互に接続されてよい。バス703は、PCIバス、EISAバスなどであってよい。バスは、アドレスバス、データバス、制御バスなどに分類できる。表現を簡単にするため、図7ではバスを表すためにただ1つの太線が用いられているが、これはバスが1つしかないことを、あるいはバスが1種類しかないことを、意味しない。
【０１９１】
前述した実施形態の全部または一部は、ソフトウェア、ハードウェア、ファームウェア、またはこれらの組み合わせによって実装されてよい。実施形態を実装するためにソフトウェアが用いられる場合は、実施形態が全面的にまたは部分的にコンピュータプログラム製品の形で実装されてよい。コンピュータプログラム製品は1つ以上のコンピュータ命令を含む。コンピュータプログラム命令がコンピュータで読み込まれて実行されると、本発明の実施形態による手順または機能が全面的にまたは部分的に生成される。コンピュータは、汎用コンピュータ、専用コンピュータ、コンピュータネットワーク、または他のプログラム可能装置であってよい。コンピュータ命令はコンピュータ可読記憶媒体に記憶されてよく、あるいはある1つのコンピュータ可読記憶媒体から別のコンピュータ可読記憶媒体へ伝送されてよい。例えば、コンピュータ命令は、ある1つのウェブサイト、コンピュータ、サーバー、またはデータセンターから、別のウェブサイト、コンピュータ、サーバー、またはデータセンターへ、有線方式（例えば、同軸ケーブル、光ファイバ、またはデジタル加入者回線（DSL））で、または無線方式（例えば、赤外線、ラジオ、またはマイクロ波など）で、伝送されてよい。コンピュータ可読記憶媒体はコンピュータによってアクセス可能な何らかの使用可能な媒体であってよく、あるいは1つ以上の使用可能な媒体を統合するサーバーやデータセンターなどのデータ記憶装置であってよい。使用可能な媒体は、磁気媒体（例えば、フロッピーディスク、ハードディスク、または磁気テープ）、光媒体（例えば、DVD）、半導体媒体（例えば、ソリッドステートドライブ（solid state disk、SSD））などであってよい。
【０１９２】
本発明の実施形態は、本発明の実施形態による方法、デバイス（システム）、およびコンピュータプログラム製品の流れ図および／またはブロック図を参照して説明されている。流れ図および／またはブロック図にある各プロセスおよび／または各ブロック、ならびに流れ図および／またはブロック図にあるプロセスおよび／またはブロックの組み合わせを実行するため、コンピュータプログラム命令が使用されてよいことが理解されるべきである。これらのコンピュータプログラム命令は、汎用コンピュータ、専用コンピュータ、組み込みプロセッサ、またはマシンを形成する他のプログラム可能データ処理デバイスのプロセッサ用として、提供されてよく、コンピュータによって、または他のプログラム可能データ処理デバイスのプロセッサによって、実行される命令は、流れ図にある1つ以上のプロセスで、および／またはブロック図にある1つ以上のブロックで、特定の機能を実行する装置を形成する。
【０１９３】
これらのコンピュータプログラム命令は、特定のやり方で働くことをコンピュータや他の何らかのプログラム可能データ処理デバイスに命令できるコンピュータ可読メモリに記憶されてよく、コンピュータ可読メモリに記憶された命令は命令装置を含むアーチファクトを形成する。命令装置は、流れ図にある1つ以上のプロセスで、および／またはブロック図にある1つ以上のブロックで、特定の機能を実行する。
【０１９４】
これらのコンピュータプログラム命令はコンピュータか他のプログラム可能データ処理デバイスに読み込まれてもよく、コンピュータか他のプログラム可能デバイスで一連の操作およびステップが行われることによってコンピュータ実行処理を形成する。したがって、コンピュータか他のプログラム可能デバイスで実行される命令は、流れ図にある1つ以上のプロセスで、および／またはブロック図にある1つ以上のブロックで、特定の機能を実行するステップを提供する。
【０１９５】
当然ながら、当業者であれば、本願の精神と範囲から逸脱せずに、本発明の実施形態に様々な修正や変更を加えることができる。本願は、以降のクレームとそれと同等の技術とによって定められる保護の範囲内にあるこれらの修正や変更を網羅することを意図する。
【符号の説明】
【０１９６】
101  ネットワークデバイス
400  通信装置
401  トランシーバモジュール
402  処理モジュール
500  通信装置
501  トランシーバモジュール
502  処理モジュール
600  通信装置
601  通信モジュール
602  プロセッサ
603  バス
604  メモリ
700  通信装置
701  通信モジュール
702  プロセッサ
703  バス
704  メモリ
1021  端末デバイス
1022  端末デバイス
1023  端末デバイス
【図１】
0006987990.tif 000012
【図２ａ】
0006987990.tif 000013
【図２ｂ】
0006987990.tif 000014
【図３】
0006987990.tif 000015
【図４】
0006987990.tif 000016
【図５】
0006987990.tif 000017
【図６】
0006987990.tif 000018
【図７】
0006987990.tif 000019